(57)【特許請求の範囲】
【請求項１】
細長い可撓性シースを有する複数の内視鏡用処置具を保持するための内視鏡用処置具の保管具であって、
表面側に向かって突出して裏側に空間を有する凸部が形成されたフレームと、
上記シースの手元側端部に連結された操作部又は上記シースの手元側端部付近を保持するための保持溝が並列に複数形成されて上記凸部との間に間隔をあけて上記フレームの表面側に突出して設けられた手元側部分保持部材と、
上記シースの全長の半分以上の領域を緩く通せるように一端が上記手元側部分保持部材の各保持溝に向けられると共に中間部分が滑らかに曲げられて全体として略α状に形成され、上記凸部内の上記空間に配置されて両端付近において上記凸部に支持された複数の筒状保持部材と、
上記凸部の表面部分に開閉自在に配置された開閉蓋とを備え、
上記開閉蓋を開くことにより上記筒状保持部材を交換することができるようにしたことを特徴とする内視鏡用処置具の保管具。
【請求項２】
上記筒状保持部材が可撓性チューブである請求項１記載の内視鏡用処置具の保管具。
【請求項３】
上記筒状保持部材が透明である請求項１又は２記載の内視鏡用処置具の保管具。
【請求項４】
上記フレームが収容箱内に収納されている請求項１、２又は３記載の内視鏡用処置具の保管具。
【請求項５】
上記収容箱が可搬性のアタッシュケースである請求項４記載の内視鏡用処置具の保管具。
【請求項６】
上記筒状保持部材は、保持された状態の処置具の先端部分が端部近傍に位置する長さに設定されている請求項１ないし５のいずれかの項に記載の内視鏡用処置具の保管具。
【発明の詳細な説明】
【０００１】
【発明の属する技術分野】
この発明は、内視鏡用処置具を保持するための内視鏡用処置具の保管具に関する。
【０００２】
【従来の技術】
内視鏡用処置具は一般に、内視鏡の処置具挿通チャンネルに挿脱される細長い可撓性シースの先端に設けられた先端処置部材を、手元側からの遠隔操作によって動作させるように構成されている。
【０００３】
そのような内視鏡用処置具の可撓性シースは柔軟で非常に長い（内視鏡の挿入部より数十センチメートル長い）ので、不使用時の保管が面倒であり、シースを床にひきずって汚したり、踏みつけて破損してしまう場合が少なくない。
【０００４】
そこで従来は、処置具の両端を上方で保持して、シースをＵ字状に曲げて吊り下げて保持していた（例えば特公平５−６４６３号）。
【０００５】
【発明が解決しようとする課題】
しかし、シースをＵ字状に曲げて吊り下げても、長いシースがぶらぶらする状態には変わりがないので、消毒済のシースが汚されたり、複数の処置具を吊り下げるとシースどうしが干渉しあって取り付け取り外し等の邪魔になっていた。
【０００６】
そこで本発明は、細長い可撓性シースがふらつかず清潔に内視鏡用処置具を保持することができ、しかも処置具の保持／取り出しが容易な内視鏡用処置具の保管具を提供することを目的とする。
【０００７】
【課題を解決するための手段】
上記の目的を達成するため、本発明の内視鏡用処置具の保管具は、細長い可撓性シースを有する内視鏡用処置具を保持するための内視鏡用処置具の保管具であって、フレームと、上記シースの手元側端部に連結された操作部又は上記シースの手元側端部付近を保持するために上記フレームに設けられた手元側部分保持部材と、上記シースの大半の部分を緩く通せるように一端が上記手元側部分保持部材に向けられて中間部分が滑らかに曲げられて少なくとも両端付近において上記フレームに支持された筒状保持部材とを有することを特徴とする。
【０００８】
なお、上記筒状保持部材が略α状に形成されていてもよい。また、上記筒状保持部材が略Ｕ状に形成されていてもよく、その場合、上記筒状保持部材の両端があい異なる手元側部分保持部材に向けられていてもよい。
【０００９】
また、上記筒状保持部材が可撓性チューブであってもよく、上記筒状保持部材が透明であってもよい。また、上記筒状保持部材が、開閉自在な蓋体の奥に収納されていてもよく、上記フレームが収容箱内に収納されていてもよく、その場合、上記収容箱が可搬性のアタッシュケースであってもよい。
【００１０】
また、上記筒状保持部材は、保持された状態の処置具の先端部分が端部近傍に位置する長さに設定されているとよい。
【００１１】
【発明の実施の形態】
図面を参照して本発明の実施の形態を説明する。
図２は本発明の第１の参考例の内視鏡用処置具の保管具の正面図、図１はその側面断面図である。
【００１２】
内視鏡用処置具の保管具のフレーム１０はプラスチック材により、全体が図１に示されるような前方に二段に突出する形状に形成されており、処置具の手元側部分を吊り下げる状態に保持するための手元側部分保持部１３が、一段目の凸部１１の前板の上部から前方に突出して全幅に形成されている。
【００１３】
手元側部分保持部１３には、例えば図３に平面形状が示されるような、Ω形の保持溝１４が板面に垂直に形成されていて、処置具１の操作部２をそこに引っ掛けて吊るすことができる。
【００１４】
図１及び図２に戻って、手元側部分保持部１３の下方において一段目の凸部１１からさらに前方に突出した二段目の凸部１２の上面部分には、保持溝１４の真下の位置に、筒状保持部材１５の入口開口１５ａが上向きに開口配置されている。
【００１５】
筒状保持部材１５は、例えば四フッ化エチレン樹脂チューブやポリエチレン樹脂チューブ等のような可撓性チューブで形成されていて、一段目の凸部１１と二段目の凸部１２の裏側の空間内に略α状に滑らかに曲げて収納されている。
【００１６】
筒状保持部材１５の入口側端部は二段目の凸部１２の上面を貫通した状態でそこに固定されており、筒状保持部材１５の出口側端部１５ｂは、入口開口１５ａのほぼ真下に位置していて、二段目の凸部１２の下面から少し下方に突出した状態でそこに固定されている。
【００１７】
その結果、処置具１の可撓性シース３を筒状保持部材１５内に挿通すると、可撓性シース３の大半の部分が筒状保持部材１５内に緩く通された状態で保持され、操作部２を手元側部分保持部１３の保持溝１４に係合させることにより、可撓性シース３の先端に設けられた先端処置部４（４ａ，４ｂ，…）が筒状保持部材１５の出口側端部１５ｂから少しだけ突出した状態になる。
【００１８】
図２に示されるように、フレーム１０には、上述のような保持溝１４と筒状保持部材１５とが各々一定の間隔をあけて複数並んで設けられており、先端処置部４が生検鉗子カップ４ａの処置具や、先端処置部４が異物回収用バスケット４ｂの処置具等、各種の処置具１を複数並べて保持することができる。
【００１９】
各筒状保持部材１５の長さは一定である必要はなく、処置具１の先端処置部４が出口側端部１５ｂから少しだけ突出するように、そこに通される可撓性シース３の長さに対応して個々に長さを設定しておけばよい。
【００２０】
このような内視鏡用処置具の保管具は、可撓性シース３を筒状保持部材１５に入口開口１５ａから通して、操作部２を手元側部分保持部１３に引っ掛けるだけで、多数の処置具１を互いに干渉しない状態で容易に保持することができる。
【００２１】
なお、筒状保持部材１５の入口開口１５ａは、床から１２０ｃｍ〜１５０ｃｍ程度とオペレータの目の高さより低い位置にあるのがよく、手元側部分保持部１３は無理なく手を伸ばして届くように、床から１３０ｃｍ〜１７０ｃｍ程度の高さに設けるとよい。
【００２２】
処置具１が保持された状態では、操作部２と先端処置部４が見えるので処置具の種類を一目で容易に確認することができる。また、処置具１を取り外さなくても、操作部２を操作して可撓性シース３の作動確認を容易に行うことができる。
【００２３】
処置具１を取り外す際には、一方の手で操作部２を手元側部分保持部１３から外し、他方の手を可撓性シース３の途中に添えて可撓性シース３を筒状保持部材１５から引き出せば、可撓性シース３を床などに引きずることなく清潔な状態のまま容易に取り外すことができる。
【００２４】
なお、手元側部分保持部１３の保持溝１４は、そこに保持される処置具１の相違に対応した形状にすればよく、例えば図４に示されるように、処置具１が吸引チューブの場合には、その手元口金１０２が嵌め込まれる程度の大きさに保持溝１４を形成すればよい。
【００２５】
また、処置具１が、例えば掃除用ブラシ等のように可撓性シース３を手元側部分保持部１３に直接保持せざるを得ない場合には、図５に平面図が示され、図６に正面断面図が示されるように、手元側部分保持部１３をゴム等の弾力性のある部材で形成して、処置具１の可撓性シース３の手元側端部付近を締め付ける状態に保持してもよい。
【００２６】
また、図７に示されるように、手元側部分保持部１３そのものを取り除いて、それに代えて一段目の凸部１１の表面板の上部にピン１１３を突設し、そのピン１１３に処置具１の操作部２を吊り下げ保持してもよい。このように構成すれば、板材を折り曲げるだけでフレーム１０を簡易に構成することができる。
【００２７】
なお、筒状保持部材１５は二段目の凸部１２の後部からその下方にループさせて配置してもよい。また、筒状保持部材１５の出口側端部１５ｂは先端処置部４が内部に隠れる程度に長く形成してもよい。これは第１の参考例においても同様である。
【００２８】
このように先端処置部４が筒状保持部材１５の内部に隠れるようにすれば、保管中に先端処置部４が汚されない。この場合、筒状保持部材１５を透明な部材で形成しておけば、先端処置部４の種類を外から目視することができる。
【００２９】
図８は、本発明の実施の形態を示しており、二段目の凸部１２の部分を少し大きめに確保して、筒状保持部材１５をその後方空間内のみに収容することにより、一段目の凸部１１を省略して、保管具全体を薄形に構成することができる。
【００３０】
そして、二段目の凸部１２部分に開閉蓋１７を設ければ、そこを開いて筒状保持部材１５を容易に交換することができ、保持対象になる処置具１の可撓性シース３の長さが変わった場合等に即座に対応することができる。１８は蝶番、１９は把手、２０はクリック（とめ金等でもよい）である。
【００３１】
図９は、本発明の内視鏡用処置具の保管具を可搬性のよいアタッシュケース３０内に組み込んだ状態を示しており、長い可撓性シース３を有する多数の処置具１を比較的小さなアタッシュケース３０内に整然と格納して運搬することができる。
【００３２】
図１０〜図１２は、いずれも本発明の実施例に含まれない参考例を示している。
図１０は、筒状保持部材１５をＵ状に滑らかに曲げて一段目の凸部１１の前側に露出配置した内視鏡用処置具の保管具の参考例を示しており、一段目の凸部１１から前方に突出形成されたチューブ保持部２２に筒状保持部材１５の両端が上向きに開口する状態に固定されている。筒状保持部材１５の途中の部分は、振らつかないようにするために、フレーム１０から突設された針金状の環状ガイド２３内に通されている。
【００３３】
なお、図１１に示されるように、一本の筒状保持部材１５に複数の処置具１の可撓性シース３を一緒に通すようにしてもよい。その場合、筒状保持部材１５の入口開口１５ａ部分側をテーパ状に広げて、保持溝１４に保持された複数の処置具１の操作部２に臨むように形成するとよい。２５は、筒状保持部材１５を係脱自在にフレーム１０に止めるリベットである。
【００３４】
また、図１２に示されるように、筒状保持部材１５をＵ状に配置して、その両端開口から各々複数の処置具１の可撓性シース３を筒状保持部材１５に通してもよい。なおこの参考例においては、筒状保持部材１５が、常態では膨らんだ状態を保持しない薄い部材によって形成されている。これは、図１１に示される参考例等に適用してもよい。
【００３５】
【発明の効果】
本発明によれば、内視鏡用処置具の可撓性シースの大半の部分が、滑らかに曲げられた筒状保持部材に緩く通す状態で格納されるので、可撓性シースがふらつかず清潔に内視鏡用処置具を保持することができ、しかも処置具の保持／取り出しを容易に行うことができる。
【図面の簡単な説明】
【図１】  本発明の第１の参考例の内視鏡用処置具の保管具の側面断面図である。
【図２】  本発明の第１の参考例の内視鏡用処置具の保管具の一部を切除して示す正面図である。
【図３】  本発明の第１の参考例の内視鏡用処置具の保管具の部分平面図である。
【図４】  本発明の第２の参考例の内視鏡用処置具の保管具の部分正面断面図である。
【図５】  本発明の第３の参考例の内視鏡用処置具の保管具の部分平面図である。
【図６】  本発明の第３の参考例の内視鏡用処置具の保管具の部分正面断面図である。
【図７】  本発明の第４の参考例の内視鏡用処置具の保管具の側面断面図である。
【図８】  本発明の第１の実施の形態の内視鏡用処置具の保管具の側面断面図である。
【図９】  本発明の第２の実施の形態の内視鏡用処置具の保管具の斜視図である。
【図１０】  本発明の第５の参考例の内視鏡用処置具の保管具の側面断面図である。
【図１１】  本発明の第６の参考例の内視鏡用処置具の保管具の部分正面断面図である。
【図１２】  本発明の第７の参考例の内視鏡用処置具の保管具の部分正面断面図である。
【符号の説明】
１  処置具
２  操作部
３  可撓性シース
１０  フレーム
１３  手元側部分保持部
１４  保持溝
１５  筒状保持部材
１５ａ  入口開口
１１３  ピン
【図１】
0003986644.tif 000002
【図２】
0003986644.tif 000003
【図３】
0003986644.tif 000004
【図４】
0003986644.tif 000005
【図５】
0003986644.tif 000006
【図６】
0003986644.tif 000007
【図７】
0003986644.tif 000008
【図８】
0003986644.tif 000009
【図９】
0003986644.tif 000010
【図１０】
0003986644.tif 000011
【図１１】
0003986644.tif 000012
【図１２】
0003986644.tif 000013